(57)【特許請求の範囲】
【請求項１】
文字板を移動することにより時計正面に装飾体が出現するからくり時計であって、
前記文字板の前方に配置され、前記文字板が時計正面側より視認可能になるように開いた状態、及び、該文字板が時計正面側より視認不可能になるように閉じた状態となる扉を有し、正時になると前記扉を閉じた後に、前記文字板を移動させて前記装飾体を出現させ、その後、該扉を開く制御回路、
を設けたことを特徴とするからくり時計。
【発明の詳細な説明】
【０００１】
【産業上の利用分野】
本発明は、所定の時刻になると扉が閉じて、装飾体を出現させるからくり時計に関する。
【０００２】
【従来の技術】
今日、正時やモニタースイッチを押圧したときなどの所定の時刻になると文字板を開いて人形などの装飾体を出現させ、音楽に合わせてこの装飾体を動作させ、所定時間後に文字板が閉まり、装飾体を収納するからくり時計が提案されている（例えば、特開平４−２５９８８９号、特開平８−１２９０７７号）。
【０００３】
また、アナログ表示式の時計においても、デジタル時計と同様に、水晶発振器を用いた基準信号発生回路から出力される基準パルス信号に基づいて、パルスモータを駆動制御し、このパルスモータにより指針を駆動するようにしたものが知られている。さらに、アナログ時計の多機能化に伴い、分針を駆動するパルスモータとは、別個に指針を駆動するパルスモータを設け、分針及び時針を別個のパルスモータにより駆動する時計もある。この指針駆動用パルスモータとして、正転及び逆転可能なモータを用いて、このモータをマイコン制御することにより、時刻修正や指針自体にからくり動作等を行わせるものもある（例えば、特開平５−９３７８４号）。
【０００４】
【発明が解決しようとする課題】
上記従来のからくり時計にあっては、文字板が反転して、その文字板の背面側に配置された装飾体が時計正面側に出現する際、見る者に文字板が反転させていく状態をみせているので、装飾体がどのように時計正面側に出現させるのかが、容易に理解されてしまう。従って、見る者に驚きや意外性を与えることに欠けていた。
【０００５】
そこで本発明はかかる従来の問題に鑑みてなされたものであり、その目的は、扉により、いかにも幕の開閉を連想させ、該扉の開閉により場面が一変した状態を見せることにより舞台を見ているような雰囲気を作りだし、見る物に驚きや意外性を与えるからくり時計を提供することにある。
【０００６】
【課題を解決するための手段】
上記課題を解決するために、文字板を移動することにより時計正面に装飾体が出現するからくり時計であって、文字板の前方に配置され、文字板が時計正面側より視認可能になるように開いた状態、及び、文字板が時計正面側より視認不可能になるように閉じた状態となる扉を有し、正時になると扉を閉じた後、文字板を移動させて装飾体を出現させ、その後、扉を開く制御回路を設けた。
【０００７】
即ち、かかる構成により、正時になると、一旦扉が閉じるので、文字板を時計正面側から見ることができなくなる。扉を閉じた状態で文字板を移動させて装飾体を出現させた後、扉を開けば、見る者には情景が一変しているので、いかにも舞台を見ているような感じを提供することができ、見る者に驚きや意外性を与えることができる。
【０００８】
【発明の実施の形態】
以下に本発明のからくり時計に関し、扉の開閉構造の具体例を図１ないし図３に基づいて説明する。本具体例のからくり時計１００は、時計本体ケース６０と、このケースの略中央に配設された複数の分割文字板３，４，５から構成された文字板６と、これらの分割文字板３，４，５の背面に設けられ、からくり演技動作を行う人形等の装飾体７ａを有するからくり装置７と、各文字板３，４，５を反転動作させる反転ギア機構８と、この文字板６全体の中心から突設された時計軸９に固定され前記時計軸９の回転動作により現在の時刻を表示する時計針１０と、この文字板６すなわち分割文字板３の背面に設けられ前記時計軸９を駆動するリアック・ムーブメント１１と、このリアック・ムーブメント１１による時刻表示動作や反転ギア機構８、前記文字板６の前方に設けられ時計本体ケース６０に対して左右に開閉動作が可能な一対の分割文字板１，２と、その分割文字板を駆動する駆動装置２０と、前記装飾体のからくり動作、前記文字板６及び前記一対の分割扉を所定の手順に従い動作を制御する図示を省略した制御回路とにより構成されている。
【０００９】
尚、図１では、説明しやすいように、分割扉１，２を駆動する駆動装置２０の前方に配置された飾り板を取った状態を示しており、ケースの内部に収納されている駆動装置２０が表れているが、本来は飾り板によって駆動装置２０は隠蔽されている。
【００１０】
本具体例の扉は、時計本体ケース６０内に、分割扉２枚を連結したものを左右に一対設け、これら一対の分割扉を中央から左右に分かれて移動する形式の扉開閉構造を備えている。即ち、一方は、中央側の１枚目の分割扉１とこれに連結する２枚目の分割扉２であり、他方は、同じく中央側の１枚目の分割扉１とこれに連結する２枚目の分割扉２である。そして、これら左右一対の分割扉１，２は、駆動装置２０の駆動により、後述する規制溝に案内されて、左右に開閉移動する。なお、前記分割扉２枚を連結したものを左右に一対、つまり合計４枚の分割文字板１，２の表面には、図示しない絵柄片が描かれており、即ち、４枚の分割文字板１，２で１つの絵柄を構成している。
【００１１】
図３に示すように、１枚目の分割扉１，１の走行を案内する左右方向の第１規制溝３０，３０と、２枚目の分割扉２，２の走行を案内する第２規制溝４０，４０を備えている。第１規制溝３０，３０は、通常の扉が左右方向に開閉する場合に案内される溝と同様に、ケース１００の前部に設けられている。
【００１２】
第２規制溝４０，４０は、湾曲状に形成され、その湾曲状態を第１規制溝から離れる方向に形成されている。本例では、これらの第１規制溝３０，３０及び第２規制溝４０，４０を分割扉の上下に対称的に設置している。
【００１３】
分割扉１，２は、互いに隣接する端部の背面に、蝶番状の連結具５０を固着して回動可能に連結して設けられている。
【００１４】
更に、１枚目の分割扉１，１は、第１規制溝３０，３０に係合する係合部を備え、また、２枚目の分割扉は、第２規制溝４０，４０に係合する係合部を備えている。本例では、開口部の上部に設けた第１規制溝３０，３０と第２規制溝４０，４０は、各分割扉を上吊りする所謂案内レールを構成しており、これに対応して、分割扉１，１及び分割扉２，２の上部の係合部は、案内レールに係合する回転懸垂体１ａ，２ａにより構成されている。
【００１５】
一方、開口部の下部に設けた第１規制溝３０，３０と第２規制溝４０，４０は、開口部の水平板に形成されており、これに対応して、分割扉１，１及び分割扉２，２の下部の係合部は、当該溝に係合する突起体１ｂ，２ｂにより構成されている。
【００１６】
この分割扉を駆動する駆動装置２０は、本例の場合、図１に示すように、モータとラック及びピニオンによって分割扉を開閉駆動するもので、ケースの下方に収納されている。モータ２１は水平板の下方の略中央に設置され、その上方に輪列２２，２２を介してピニオン２３が設けられている。このピニオン２３の前後には、左右方向に長いラック２４，２５が該ピニオン２３を挟持するように配置されており、一方のラック２４は固定具２４ａを介して図中右側の分割扉の突起体１ｂに連係され、また、他方のラック２５は固定具２５ａを介して図中左側の分割扉の突起体１ｂに連係されている。
【００１７】
前記モータ２１が回転すると、輪列２２，２２を介してピニオン２３が回転し、これに噛合するラック２４，２５がそれぞれ左右方向に駆動させられる。即ち、一方のラック２４は右方向に移動し、従って該ラック２４に連係した１枚目の分割扉１は右方向に移動し、該分割扉１に連結した２枚目の分割扉２も右方向に移動させられる。同様に、他方のラック２５は左方向に移動し、該ラック２５に連係した１枚目の分割扉１は左方向に移動し、該分割扉１に連結した２枚目の分割扉も左方向に移動させられる。
【００１８】
分割扉１，１が動き始めると、分割扉１，１は、その係合部（回転懸垂体１ａ及び突起体１ｂ）が第１規制溝３０，３０に規制されて左右に移動する。一方、２枚目の分割扉２，２は、その係合部（回転懸垂体２ａ及び突起体２ｂ）が第２規制溝４０，４０に規制されて、連結具５０，５０を支点に回動を始める。更に、分割扉１，１及び分割扉２，２の移動が進むと、分割扉２，２の回動が進行し、図２の破線で示すように、分割扉の開放時に２枚目の分割扉２，２が１枚目の分割扉１，１に対し直角状にもたらされる。従って、分割扉２，２が単純に開閉される場合と比べて、左右方向の収納間隔が小さくてすむ。
【００１９】
次に、前記分割扉１，２の後方に配置される一対の分割文字板について説明する。図４に示すように、ケースの凹部２ａ内には、前面が平坦に形成された文字板６が配設され、この文字板６の前面には、円周上に数字の指標が設けられている。また、この文字板６は、対辺を結ぶ互いに平行な垂直方向の直線により、複数の分割文字板３，４，５に分割され、これらの分割文字板３，４，５の上下端が、ケース６０側に軸支されている。即ち、この文字板６は、長板状に形成された、時計軸１０を中央に位置させた第１分割文字板３と、この左右側に、第１分割文字板３よりも左右幅が狭い第２分割文字板４と、第１分割文字板３と同じ左右幅に設定された第３分割文字板５とから構成されている。
【００２０】
このように分割された第１，２，３分割文字板３，４，５の背面には、図５に示すように、それぞれ、からくり装置７の人形等の装飾体７ａを載置するステージが設けられ、この装飾体７ａは、内蔵モータにより所定のからくり動作を行い、このモータは制御回路により動作が制御されている。
【００２１】
また、図６に示すように、これらの分割文字板３，４，５の中間の各上下端には、上下方向に沿った回転軸３ａ，４ａ，５ａが固着され、これらの回転軸３ａ，４ａ，５ａは、ケース側に回転可能に軸支され、上側の回転軸３ａ，４ａ，５ａは、反転ギア機構８に接続されている。この反転ギア機構８は、各分割文字板３，４，５の回転軸３ａ，４ａ，５ａに固定された、各分割文字板３，４，５を反転駆動する各駆動歯車１３，１４，１５と、これらの中間に設けられた中間歯車８ａとから構成されている。また、これらの歯車は、同一な歯車が用いられ、文字板の反転駆動時には同一方向に、且つ、同一回転速度により、各分割文字板３，４，５を回転駆動するようにしている。また、この反転ギア機構８は、正逆回転可能な駆動モータ８ｂに接続され、この駆動モータ８ｂは制御回路に接続され、この制御回路により駆動モータ８ｂの正逆回転動作が所要に制御されている。尚、１８は、図中右側の第３分割文字板５の過回転を防止するストッパ部材であり、角棒形状に形成され、ケースの凹部端縁に固定されている。
【００２２】
また、これらの各分割文字板３，４，５の軸支位置は、図７に示すように、からくり時計１００の背面側に、偏心させて設定されている。即ち、図８に示すように、第１分割文字板３を保持する回転軸３ａは、背面側に距離Ｌ分だけ移動され、この回転軸３ａを中心として描かれる第１分割文字板３の外縁軌跡Ａ１は、同図中に仮想線により示される第１分割文字板３中央に回転軸３ｃを設けた場合の外縁軌跡Ｂ１に比べて、一点鎖線により示されるように、時計背面側に移動した軌跡となる。この結果、この第１分割文字板３の反転時には、通常の時刻表示状態の文字板表面から時計前面側への突出する量が、同図中のＢ２からＡ２に減少することになる。このように文字板の回転軸を偏心させることにより、隣接した分割文字板同士の外縁軌跡が、互いに重なった場合にも、同一方向に同一回転速度によって反転動作させることにより、互いに干渉せずに反転動作を行うことができる。
【００２３】
時計軸９は、図示を省略した時針用軸と、この時針軸の外周を囲む円筒状の分針用軸とから構成され、この時計軸９は、文字板６の指標の中心に、即ち、第１分割文字板３の略中央に配設されている。また、この時計軸９の時針用軸／分針用軸は、第１分割文字板の背面に固着されたリアック・ムーブメント１１から文字板３を貫通して前面に突設され、先端には、それぞれ、時計針１０の分針１０ａと時針１０ｂが装着されている。そして、この時計軸９は、リアック・ムーブメント１１により所定に回転駆動され、時針１０ｂ及び分針１０ａを駆動して現在時刻を表示するようにしている。
【００２４】
このリアック・ムーブメント１１には、図示を省略した時針１０ｂ及び分針１０ａを個別に駆動する時針駆動用パルスモータ及び分針駆動用パルスモータが収納されており、これらのパルスモータは、制御回路からの制御パルス信号により駆動が制御されている。即ち、このリアック・ムーブメント１１の分針駆動用パルスモータは、１パルスの入力により１８０度回転した場合に、分針軸が１度だけ回転するように構成された輪列により減速され、同様に指針駆動用パルスモータは、１パルスの入力により１８０度回転した場合に時針軸が１度だけ回転するような輪列により減速している。従って、各パルスモータに出力したパルス数をカウントすることにより、確実に各指針の表示位置を把握しながら駆動制御することができ、制御回路により各パルスモータを制御して、からくり動作時の各分割文字板３，４，５が反転する際に、時針１０ｂ及び分針１０ａが第３分割文字板５上に一時的に移動して退避し、復帰する動作を行っている。
【００２５】
また、このリアック・ムーブメント１１は、前記退避した状態から現時刻表示位置へ移動させ、通常の時刻表示に復帰することも可能になっている。
このようなリアック・ムーブメント１１の具体的な構成については、特開平５−９３７８４号公報、又は，特開平８−１２９０７７号公報に開示されている事項なので、説明を省略する。
【００２６】
次に、前記装飾体７ａのからくり動作、前記文字板６（分割文字板３，４，５）、及び、前記一対の分割扉１，２を所定の手順に従い動作を制御する図示を省略した制御回路について、図９に基づいて説明する。
【００２７】
正時以外の時間帯又はモニタースイッチを押していないとき、からくり時計１００は図１に示すように、扉６は開いており、扉６の分割扉１，２はケース６０の内部に収納され、該扉６の後方に配設された分割文字板３，４，５は文字板面を時計正面側に向けてある。即ち、通常の状態（時間帯又はモニタースイッチを押していないとき）は、時計正面側から現時刻を認知できるようになっている。
【００２８】
通常の状態から、図示しない制御回路に、正時信号又はモニタースイッチの押圧によるモニタースイッチ信号が入力されると、図２に示すように時計正面側から分割文字板３，４，５が見えなくなるように、扉６が凹部２ａを塞ぐように閉じる。従って、ケース内部に収納されていた分割扉１，２が時計正面側に出現するので、該分割扉１，２の表面に描かれた絵柄をみることができる（手順１）。
【００２９】
分割扉１，２が時計正面側に出現し終えた後に、前記時針駆動用パルスモータ及び分針駆動用パルスモータを駆動して時針１０ｂ及び分針１０ａを前記第１分割文字板３上に一時的に移動して退避させる（手順２）。尚、このとき分割扉１，２は閉じているので、退避させる様子を時計正面側からみることはできない。
【００３０】
時針１０ｂ及び分針１０ａを前記第１分割文字板３上に一時的に移動して退避させた後に、図７に示すように、反転ギア機構８を駆動して分割文字板３，４，５を反転させ、時計正面側に装飾体７ａを出現させる（手順３）。尚、このとき分割扉１，２は閉じているので、装飾体７ａが出現する様子を時計正面側よりみることはできない。
【００３１】
装飾体７ａを出現させた後に、扉６を開いて分割扉１，２をケース６０内に収納する（手順４）。このとき、時計正面側から装飾体７ａをみることができる。尚、見ている人には分割文字板の移動を見せていないので、扉６が開いたときには情景が大きく変わっており、いかにも舞台を見ているような、驚きや意外性を与えることができる。
【００３２】
扉６を開いた後に、からくり装置７の図示しない内蔵モータを駆動して、装飾体７ａにからくり動作をさせる（手順５）。
【００３３】
からくり動作を終えてから、再び扉６を閉じる（手順６）。
【００３４】
再び扉６を閉じた後、図７に示すように、反転ギア機構８を駆動して分割文字板３，４，５を反転させ、時計正面側に文字板面が出現させる（手順７）。尚、このとき分割扉１，２は閉じているので、文字板面が出現する様子を時計正面側よりみることはできない。
【００３５】
文字板面が出現させた後に、前記時針駆動用パルスモータ及び及び分針駆動用パルスモータを駆動して、時針１０ｂ及び分針１０ａを現時刻になるように復帰させる。（手順８）。尚、このとき分割扉１，２は閉じているので、復帰させる様子を時計正面側からみることはできない。
【００３６】
時針１０ｂ及び分針１０ａを復帰させた後に、再び分割扉１，２を開く（手順９）。このとき、時計正面側から分割文字板３，４，５の文字板面をみることができる。尚、見ている人には分割文字板の移動を見せていないので、どの様なからくりで分割文字板を出現させたのかが悟られず、情景変化を提供することができ、驚きや意外性を与えることができる。尚、図１に示すような状態で、次の正時信号が入力されるか、又はモニタースイッチ信号が入力されるかするまで待機するものである。待機している間は扉６は開いているので時刻の認知は可能となる。
【００３７】
本具体例では、動作をより早く行えるように正逆回転可能なモータで時計針１０を退避・復帰させているが、時刻を記憶する計時カウンタ及び時計針の位置を記憶する指針位置カウンタを有する構成であれば個別のモータ及び正逆回転可能なモータでなくても退避・復帰は可能である。
【００３８】
本具体例によれば、分割文字板を反転させたとき、分割文字板の前方に配置された扉は閉じているので、分割文字板が反転する際、該文字板の背面にある駆動装置等が時計正面側から見ることができない。従って、この扉は分割文字板の反転動作の視認、並びに、その動作に伴う文字板背後に位置する駆動装置等の視認の両方を不可能としている。
【００３９】
本具体例によれば、扉６を左右にスライドする分割扉１，２としたが、左右にスライドする構造ではなく、例えば、特開平４−２５９８８９号に開示された開閉扉機構を用いて、開閉扉が開いているときは、花が咲いているような状態を表現したり、逆に、開閉扉が閉じているときは、つぼんでいる状態を表現してもよい。また、扉６を分割扉とする必要はなく、扉６を１枚の板状とすることもある。さらに、本具体例では、移動する文字板として、分割文字板３，４，５を反転させることにより、装飾体７ａを時計正面側に出現させたが、特開平８−６８８７０号に開示してあるような、分割文字板を上下又は左右に移動させることにより、分割文字板の背面側に配置された装飾体を出現させる構造でもよい。また、分割文字板３，４，５を分割する必要はなく、文字板を１個として移動可能にすることもある。
【００４０】
【発明の効果】
以上説明したように本発明は、文字板を移動することにより時計正面側に出現する装飾体を備えたからくり時計であって、文字板の前方に配置され、文字板が時計正面側より視認可能になるように開いた状態、及び、文字板が時計正面側より視認不可能になるように閉じた状態となる扉を有し、正時になると、扉を閉じた後、文字板を移動させて装飾体を出現させ、その後、扉を開く制御回路を設けたことを特徴とする。即ち、正時になると、一旦扉が閉じるので、文字板が時計正面側から見ることができなくなる。この状態で文字板を移動させて装飾体を出現させた後、扉を開けば、見る者には文字板の移動を見せておらず、どの様なからくりで装飾体を出現させたのかが悟られないと共に、情景が大きく変わっている場面を見せることになり、見る者に驚きや意外性を与えることができる。
【図面の簡単な説明】
【図１】本発明のからくり時計の具体例に係り、通常の状態（正時以外の時間帯又はモニタースイッテを押圧しないとき）を示す正面図である。
【図２】本発明のからくり時計の具体例に係り、正時又はモニタースイッチを押圧したときを示し、扉が閉じた状態を示した正面図。
【図３】本発明のからくり時計の扉の構造に係り、扉の開閉時における正面図である。
【図４】本発明のからくり時計の分割文字板を示し、通常の状態を示す正面図。
【図５】本発明のからくり時計の分割文字板を示し、分割文字板が反転して装飾体が時計正面側に出現した状態を示す正面図。
【図６】本具体例の分割文字板の反転ギア機構を示す一部破断正面図。
【図７】本具体例の分割文字板が同一に反転動作する経過を示す動作説明図。
【図８】本具体例の分割文字板の軸支位置を説明する図。
【図９】
本具体例のからくり時計の動作を制御する制御回路の動作手順を示す図。
【符号の説明】
１        １枚目の分割扉
２        ２枚目の分割扉
３        第１分割文字板
４        第２分割文字板
５        第３分割文字板
６        文字板
７        からくり装置
８        反転ギア機構
９        時計軸
１０      時計針
１１      リアック・ムーブメント
１３      反転ギア機構の第１分割文字板の駆動歯車
１４      反転ギア機構の第２分割文字板の駆動歯車
１５      反転ギア機構の第３分割文字板の駆動歯車
１６      反転ギアの中間歯車
【図１】
0003549181.tif 000002
【図２】
0003549181.tif 000003
【図３】
0003549181.tif 000004
【図４】
0003549181.tif 000005
【図５】
0003549181.tif 000006
【図６】
0003549181.tif 000007
【図７】
0003549181.tif 000008
【図８】
0003549181.tif 000009
【図９】
0003549181.tif 000010